(57)【要約】      （修正有）【課題】移動系入力装置に移動系防災無線システムと固定系防災無線システムとの連動機能を持たせる。【解決手段】指示や音声を入力する移動系入力装置２１を有する移動系防災無線システム２と、指示や音声を入力する固定系入力装置１２を有する固定系防災無線システム３と、前記移動系防災無線システムと前記固定系防災無線システムとを接続及び切断する固定系／移動系連動装置とを有する防災無線システムであって、前記固定系／移動系連動装置がレベル調整部２４と割込み部２５とを有し、前記固定系／移動系連動装置は前記移動系入力装置又は前記固定系入力装置の何れか一方に一体化する。【選択図】図１
2010206278.tif 000002
【特許請求の範囲】
【請求項１】
指示や音声を入力する移動系入力装置を有する移動系防災無線システムと、指示や音声を入力する固定系入力装置を有する固定系防災無線システムと、前記移動系防災無線システムと前記固定系防災無線システムとを接続及び切断する固定系／移動系連動装置とを有する防災無線システムであって、前記固定系／移動系連動装置がレベル調整部と割込み部とを有し、前記固定系／移動系連動装置は前記移動系入力装置又は前記固定系入力装置の何れか一方に一体化されたことを特徴とする防災無線システム。
【発明の詳細な説明】
【技術分野】
【０００１】
本発明は、移動系防災無線システムと固定系防災無線システムを連動させる防災無線システムに関するものである。
【背景技術】
【０００２】
市町村の防災無線システムには、例えば市や町等の自治体職員が使用する移動無線端末を有した移動系防災無線システムと、電信柱等に取付けられた固定無線端末から一般住民に対して通知を行う固定系防災無線システムが存在している。通常、前記移動系防災無線システムと前記固定系防災無線システムは別個に運用されており、又それぞれが用いている音声コーデックが異なる為、前記移動系防災無線システムは携帯無線機や車載無線機を所持していなければ通信内容を聞くことができず、前記固定系防災無線システムはスピーカ等の屋外受信機や戸別受信機を設置していない場所では放送内容を聞くことができない様になっている。
【０００３】
然し乍ら、通報内容の緊急度によっては自治体職員及び一般住民の両方に対して早急に通知する必要があり、通知に要する時間の短縮や手間を軽減する為の対策が求められていた。
【０００４】
上記の問題を解決する手段として、前記移動系防災無線システムと前記固定系防災無線システムに固定系／移動系連動装置を接続させて両システムを連動可能とし、更に前記固定系／移動系連動装置に前記移動系防災無線システムと前記固定系防災無線システムの通信に用いる音声レベルを調整することによって自治体職員と一般住民に対しての通知を同時に行うことを可能にした防災無線システムがある。
【０００５】
以下、図５、図６に於いて、従来の防災無線システム１について説明する。
【０００６】
該防災無線システム１は移動系防災無線システム２、固定系防災無線システム３、固定系／移動系連動装置４から構成されており、該固定系／移動系連動装置４は前記移動系防災無線システム２と前記固定系防災無線システム３の双方と有線にて接続されている。
【０００７】
前記移動系防災無線システム２は、移動系統制台５、移動系回線制御装置６、移動系基地局７、及び少なくとも１つ以上の移動無線端末８等から構成されており、移動系入力装置である前記移動系統制台５は操作部である移動系操作卓９と音声の入出力部である移動系ハンドセット１１を具備している。
【０００８】
又、前記固定系防災無線システム３は、固定系統制台１２、固定系回線制御装置１３、固定系基地局１４、固定無線端末１５等から構成されており、固定系入力装置である前記固定系統制台１２は操作部である固定系操作卓１６と音声の入出力部である固定系ハンドセット１７を具備している。
【０００９】
前記移動系防災無線システム２を運用する際には、前記移動系ハンドセット１１から音声を入力し、或は前記移動系操作卓９から予め録音していた音声等を入力し、又該移動系操作卓９からどの前記移動無線端末８に対して音声や信号を送信するのかを選択する。
【００１０】
前記移動系回線制御装置６は前記移動系操作卓９からの指示に従って、選択された前記移動無線端末８への回線を開き、前記移動系基地局７は前記移動系統制台５から入力された音声や信号を無線データへと変換し、前記移動系回線制御装置６が前記移動系基地局７を介して無線データを送信することで、対象の携帯無線機や車載無線機等の前記移動無線端末８が前記移動系統制台５から入力された音声や信号を受信できる。又、前記移動無線端末８から音声や信号を入力した際には、上記と逆の経路を通り、前記移動系統制台５に音声や信号が受信される。
【００１１】
前記固定系防災無線システム３を運用する際には、前記固定系ハンドセット１７から音声を入力し、或は前記固定系操作卓１６から予め録音していた音声等を入力し、又該固定系操作卓１６からどの前記固定無線端末１５に対して音声や信号を送信するのかを選択する。
【００１２】
前記固定系回線制御装置１３は前記固定系統制台１２からの指示に従って、選択された前記固定無線端末１５への回線を開く。前記固定系基地局１４は前記固定系統制台１２から受信した音声や信号を無線データへと変換し、前記固定系回線制御装置１３が前記固定系基地局１４を介して無線データを送信することで、対象のスピーカや戸別受信機等の前記固定無線端末１５に前記固定系統制台１２から入力された音声や信号が受信される。
【００１３】
又、前記固定系／移動系連動装置４は、前記固定系防災無線システム３の音声レベルや信号レベルを前記移動系防災無線システム２のレベルに合わせるレベル調整部１８、及び前記固定系防災無線システム３から送信された音声や信号を前記移動系防災無線システム２の回線に割込ませる割込み部１９を有しており、該割込み部１９は前記固定系／移動系連動装置４の電源の投入、及び前記移動系ハンドセット１１の図示しないフックスイッチのＯＮ／ＯＦＦによって前記移動系防災無線システム２の回線に割込ませるかどうかを切替えることができる。
【００１４】
次に、前記防災無線システム１を運用し、前記固定系防災無線システム３側から前記移動無線端末８と前記固定無線端末１５の両方に対して同時に音声や信号を送信する場合について説明する。
【００１５】
先ず前記移動系統制台５から送信先に一斉通信を選択し、その後前記固定系／移動系連動装置４に設けられた電源を投入し、更に前記移動系ハンドセット１１の受話器を外してオフフックさせることで、前記防災無線システム１を連動状態とし、前記固定系統制台１２より音声を入力し、送信先に一斉通信を選択する。
【００１６】
上記手順によって、前記固定系回線制御装置１３、前記固定系基地局１４を介して前記固定無線端末１５に音声や信号が送信されると共に、前記レベル調整部１８によって音声レベル、信号レベルが前記固定系防災無線システム３のレベルから前記移動系防災無線システム２のレベルに調整され、前記割込み部１９によって前記移動系防災無線システム２の回線にデータを割込ませ、前記移動系回線制御装置６、前記移動系基地局７を介して前記移動無線端末８に対して音声や信号が送信される。
【００１７】
通信を終了する場合には、前記固定系統制台１２にて終話を選択し、次に前記移動系統制台５にて終話を選択して通信を終了し、更に前記固定系／移動系連動装置４の電源を切り、前記移動系ハンドセット１１の受話器を図示しない受話器置き台に戻してオンフックさせることで、通信が終了し、前記防災無線システム１の運用が完了する。
【００１８】
尚、上記手順と逆の手順によって、前記移動系防災無線システム２から前記移動無線端末８と前記固定無線端末１５に対して一斉通信を行うことができる。
【００１９】
然し乍ら、上記の様な前記防災無線システム１の場合、前記固定系／移動系連動装置４は前記固定系防災無線システム３側に設置されており、連動時のみ人の手によって電源を投入される様になっている。又、前記固定系防災無線システム３から一斉通信を行う際には、前記移動系統制台５の前記移動系ハンドセット１１をオフフックさせる必要があり、通信を終了する際には前記移動系防災無線システム２及び前記固定系防災無線システム３の終話処理だけではなく、前記固定系／移動系連動装置４の連結解除動作も必要である為、両システムを連動させた一斉通信を行う際に作業性が悪く、運用終了の際に通信を切断し忘れるという問題があった。
【先行技術文献】
【特許文献】
【００２０】
【特許文献１】特開２００８−３０６５２７号公報
【特許文献２】特許第４１５４３５１号公報
【発明の概要】
【発明が解決しようとする課題】
【００２１】
本発明は斯かる実情に鑑み、移動系入力装置に移動系防災無線システムと固定系防災無線システムとの連動機能を持たせることで作業効率の向上を図る防災無線システムを提供するものである。
【課題を解決するための手段】
【００２２】
本発明は、指示や音声を入力する移動系入力装置を有する移動系防災無線システムと、指示や音声を入力する固定系入力装置を有する固定系防災無線システムと、前記移動系防災無線システムと前記固定系防災無線システムとを接続及び切断する固定系／移動系連動装置とを有する防災無線システムであって、前記固定系／移動系連動装置がレベル調整部と割込み部とを有し、前記固定系／移動系連動装置は前記移動系入力装置又は前記固定系入力装置の何れか一方に一体化された防災無線システムに係るものである。
【発明の効果】
【００２３】
本発明によれば、指示や音声を入力する移動系入力装置を有する移動系防災無線システムと、指示や音声を入力する固定系入力装置を有する固定系防災無線システムと、前記移動系防災無線システムと前記固定系防災無線システムとを接続及び切断する固定系／移動系連動装置とを有する防災無線システムであって、前記固定系／移動系連動装置がレベル調整部と割込み部とを有し、前記固定系／移動系連動装置は前記移動系入力装置又は前記固定系入力装置の何れか一方に一体化されたので、前記防災無線システムの省スペース化が図れ、更に作業工程を減少させることで作業効率の向上を図ることができるという優れた効果を発揮する。
【図面の簡単な説明】
【００２４】
【図１】本発明の防災無線システムの構成を示すブロック図である。
【図２】本発明の防災無線システムの連動部を示す説明図である。
【図３】本発明に於ける移動系統制台を示す斜視図である。
【図４】本発明に於けるハンドセットを示す要部拡大図である。
【図５】従来の防災無線システムの構成を示すブロック図である。
【図６】従来の防災無線システムの連動部を示す説明図である。
【発明を実施するための形態】
【００２５】
以下、図面を参照しつつ本発明の実施例を説明する。
【００２６】
先ず、図１〜図４に於いて、本発明が実施される防災無線システム１について説明する。尚、図１〜図４中、図５、図６に示したものと同等のものには同符号を付し、その説明を省略する。
【００２７】
該防災無線システム１は、移動系防災無線システム２と固定系防災無線システム３とで構成され、前記移動系防災無線システム２と前記固定系防災無線システム３とは有線にて接続されている。
【００２８】
前記移動系防災無線システム２は移動系回線制御装置６、移動系基地局７、少なくとも１つ以上の移動無線端末８、通信連動装置及び移動系入力装置である連動機能付移動系統制台２１を有している。又、該連動機能付移動系統制台２１は操作部である移動系操作卓９と移動系ハンドセット２２を有し、該移動系ハンドセット２２は音声の入力、出力を行う入出力部２３、音声レベルや信号レベルを調整するレベル調整部２４、前記固定系防災無線システム３からの音声を前記移動系ハンドセット２２からの入力として前記移動系防災無線システム２に割込ませる割込み部２５を有している。
【００２９】
本発明では、前記固定系防災無線システム３で使用される音声レベルと、前記移動系防災無線システム２で使用される音声レベルとを既定であるものとし、例えば前記固定系防災無線システム３のレベルと前記移動系防災無線システム２のレベルがそれぞれ検出でき、又前記固定系防災無線システム３のレベルが前記移動系防災無線システム２のレベルよりも高いものとする。又、前記移動系ハンドセット２２にアッテネータを組込み、前記レベル調整部２４が音声レベルの減衰のみを可能とする、或は両システムの連動時に前記移動系ハンドセット２２を使用しない等の前提により余分な回路を省略し、前記レベル調整部２４と前記割込み部２５等の小型化を実現し、前記レベル調整部２４と前記割込み部２５の前記移動系ハンドセット２２との一体化を実現している。
【００３０】
又、前記移動系防災無線システム２では、通常２６０ＭＨｚ帯の信号が用いられ、音声コーデックには例えばＥＬ−ＣＥＬＰ方式が用いられており、前記移動系防災無線システム２は、ミュージックチャイムやサイレン等、音階のある音ではなく、音声に特化したものとなっている。
【００３１】
前記固定系防災無線システム３は固定系入力装置である固定系統制台１２、固定系回線制御装置１３、固定系基地局１４、及び少なくとも１つ以上の固定無線端末１５を有しており、又前記固定系統制台１２は操作部である固定系操作卓１６と音声の入出力部である固定系ハンドセット１７を有している。
【００３２】
又、前記固定系防災無線システム３では、通常６０ＭＨｚ帯の信号が用いられ、音声コーデックには例えばＳコーデックが用いられており、該固定系防災無線システム３は、音声やミュージックチャイムやサイレン等、様々な音によって通信することが可能となっている。
【００３３】
尚、前記移動系防災無線システム２と前記固定系防災無線システム３の個々の運用に関しては、従来と同様であるので説明を省略する。
【００３４】
次に、本発明に於ける前記連動機能付移動系統制台２１の具体的な機能について説明する。
【００３５】
該連動機能付移動系統制台２１は前記移動系操作卓９、及び該移動系操作卓９に隣接して設けられた前記移動系ハンドセット２２を有し、前記移動系操作卓９には操作制御部２６、副操作制御部２７、スピーカ（図示せず）の音量を調整する音量調整摘み２８、端子部（図示せず）が設けられている。
【００３６】
前記操作制御部２６は表示部と操作部を兼ねるタッチパネルとなっており、画面表示を見ながら操作し、通信先の選択や通信方法の制御をすることができる。前記副操作制御部２７は前記操作制御部２６の下方に位置し、ハードキー２９と表示ランプ３１から構成されており、前記操作制御部２６が故障等により使用できなくなった際にバックアップ操作部として使用することができる。
【００３７】
又、スピーカから出力される呼出音や録音した音声等は前記副操作制御部２７の近傍に設けられた前記音量調整摘み２８によって調整することができる。又、前記移動系操作卓９の背面に設けられた図示しない端子部には、電源スイッチ、ブザー断スイッチ、リセットスイッチ、バックライト輝度調整用ボリューム、及び各装置との接続コネクタが実装されている。
【００３８】
又、前記移動系ハンドセット２２は、受話器３２と受話器置き台３３から構成され、前記受話器３２は、該受話器３２の持ち手部分に設けられ、単信（単向）通話の際に使用するＰＴＴスイッチ３４と、図示しない音声入力用のマイクと音声出力用のスピーカを有している。
【００３９】
又、前記受話器置き台３３は、上面には前記受話器３２を置いた際に押下される位置にフックスイッチ３６が設けられ、上面の隅部にＬＥＤランプ付連動スイッチ３７が設けられている。又、一方の側面にボリュームスイッチ３５が設けられ、他方の側面に電源スイッチ３８が設けられ、前記ＬＥＤランプ付連動スイッチ３７の近傍に電源ランプ３９が設けられている。
【００４０】
又、前記ボリュームスイッチ３５は前記受話器３２から出力される音声の受話音量を調節する機能を有しており、前記フックスイッチ３６は通信の終了及び前記固定系防災無線システム３からの音声の割込みを切替える機能を有しており、前記ＬＥＤランプ付連動スイッチ３７は前記移動系防災無線システム２と前記固定系防災無線システム３の連動状態を開始及び停止する機能を有しており、連動状態ではＬＥＤランプが点灯する様になっている。前記電源スイッチ３８は前記移動系ハンドセット２２の電源投入、切断を操作し、前記電源ランプ３９は前記移動系ハンドセット２２に電源が投入された際に点灯する様になっている。
【００４１】
次に、本発明の前記連動機能付移動系統制台２１を用いた前記防災無線システム１の運用について説明する。
【００４２】
前記固定系防災無線システム３から前記移動無線端末８と前記固定無線端末１５に対して一斉通信を行う場合には、先ず始めに前記受話器置き台３３の側面に設けられている前記電源スイッチ３８を操作し、前記移動系ハンドセット２２に電源を投入する。該移動系ハンドセット２２に電源を投入することで、前記電源ランプ３９が点灯する。
【００４３】
次に、前記ＬＥＤランプ付連動スイッチ３７を押下することでＬＥＤランプが点灯し、前記移動系防災無線システム２と前記固定系防災無線システム３とが連動可能状態となる。尚、前記ＬＥＤランプ付連動スイッチ３７はＬＥＤ消光付ノンロックスイッチである。前記ＬＥＤランプ付連動スイッチ３７は、押下することによりＯＮ状態となり、更に後述する起動信号が発せられている間はＯＮ状態で電気的にロックされ、再度スイッチを押下しても機械的なロックがかからない様になっている。
【００４４】
更に、前記受話器３２を前記受話器置き台３３から取外し、前記フックスイッチ３６をオフフック状態とすることで、前記移動系操作卓９に対してオフフック信号（起動信号）が渡され、オフフック状態を維持することで前記移動系操作卓９の前記操作制御部２６から一斉通信が選択可能となる。
【００４５】
前記操作制御部２６から一斉通信を選択し、最後に前記固定系統制台１２から音声、或は予め録音してあった音声を入力し、前記固定系操作卓１６から一斉通信を選択することで、前記固定系回線制御装置１３、前記固定系基地局１４を介して前記固定無線端末１５へと音声信号が送られると共に、前記移動系防災無線システム２に対しても音声と共に起動信号が送られる。
【００４６】
前記固定系統制台１２から入力された音声のレベルは、前記移動系ハンドセット２２の前記レベル調整部２４によって前記移動系防災無線システム２の音声レベルに調整される。
【００４７】
前記レベル調整部２４によってレベル調整された音声と共に前記固定系統制台１２からの起動信号が、前記割込み部２５により前記入出力部２３からの入力として前記移動系操作卓９へと送られる。
【００４８】
該移動系操作卓９は、前記移動系ハンドセット２２から起動信号を受けて予め設定していた一斉通信状態に従って、該移動系ハンドセット２２から送られてきた音声信号を前記移動系回線制御装置６、前記移動系基地局７を介して前記移動無線端末８へと音声信号を送信することで、前記固定無線端末１５と前記移動無線端末８に対して前記固定系統制台１２から入力された音声の一斉送信が行われる。
【００４９】
一斉通信状態を終了する際には、前記固定系統制台１２から終話を実行することで該固定系統制台１２から発信されていた起動信号が途絶え、起動信号が途絶えることで前記ＬＥＤランプ付連動スイッチ３７が消灯し、前記移動系防災無線システム２と前記固定系防災無線システム３の接続が切断される。
【００５０】
尚、本発明に於いて、前記移動系ハンドセット２２と前記レベル調整部２４と前記割込み部２５を一体化したが、前記レベル調整部２４と前記割込み部２５は前記固定系ハンドセット１７と一体化してもよい。又、ハンドセットにアンプを組込み、前記レベル調整部２４が入力された音声レベルを増幅可能とすることで、前記移動系防災無線システム２から前記移動無線端末８と前記固定無線端末１５に対して一斉通信が可能となることは言う迄もない。
【００５１】
又、前記移動系防災無線システム２と前記固定系防災無線システム３の切断に伴い、前記移動系操作卓９への起動信号も途切れることで、該移動系操作卓９の一斉通信状態が解除されて終話状態となり、一連の前記防災無線システム１の運用が完了する。
【００５２】
上述の様に、本発明では、従来の固定系／移動系連動装置４が有していた音声レベルの調整や前記移動系防災無線システム２への割込み等の機能を前記移動系ハンドセット２２に組込んだことで、装置の簡略化による省スペース化が実現でき、又作業工程を減少させることができるので、作業効率の向上を図ることができる。
【００５３】
又、通信終了時には前記固定系防災無線システム３からの操作のみでよい為、前記移動系統制台５等の装置の通信の切断忘れを防ぐことができる。
【符号の説明】
【００５４】
１              防災無線システム
２              移動系防災無線システム
３              固定系防災無線システム
５              移動系統制台
９              移動系操作卓
１２            固定系統制台
１６            固定系操作卓
１７            固定系ハンドセット
２１            連動機能付移動系統制台
２２            移動系ハンドセット
２３            入出力部
２４            レベル調整部
２５            割込み部
【図１】
2010206278.tif 000003
【図２】
2010206278.tif 000004
【図３】
2010206278.tif 000005
【図４】
2010206278.tif 000006
【図５】
2010206278.tif 000007
【図６】
2010206278.tif 000008